(57)【特許請求の範囲】
【請求項１】
差込まれたタイムカードに記録されているＩＤを識別し、このＩＤに該当する社員個人のメモリに対して現在時刻等の出退勤情報を記憶すると共に、この出退勤情報を上記タイムカードの印字欄に印字するように構成したタイムレコーダ装置であって、
差込まれたタイムカードに付されているＩＤを読取る読取り手段と、この読取ったＩＤとメモリに記憶されているカードＩＤとを比較するＩＤ比較手段と、比較の結果、同じＩＤが存在する場合にタイムカードに付されているＩＤとは別に拡張用のＩＤをタイムカードに印刷する印刷手段と、上記既に付されているＩＤと新たに印刷された拡張ＩＤとの組合せによって構成されるＩＤを、新たなＩＤとして上記のメモリに各社員の個人情報と関連づけて記憶する記憶手段とを備えて成ることを特徴とするタイムレコーダ装置。
【請求項２】
差込まれたタイムカードに記録されているＩＤを識別し、このＩＤに該当する社員個人のメモリに対して現在時刻等の出退勤情報を記憶すると共に、この出退勤情報を上記タイムカードの印字欄に印字するように構成したタイムレコーダ装置に使用するタイムカードであって、
同じ桁数で、且つ、夫々異なった番号又は記号から成るＩＤを、機械読取り可能な状態に印刷するＩＤ印刷エリアと、このＩＤとは別の拡張ＩＤを同じく機械読取り可能な状態に印刷する拡張ＩＤ印刷エリアとを設けて成ることを特徴とするタイムカード。
【請求項３】
差込まれたタイムカードに記録されているＩＤを識別し、このＩＤに該当する社員個人のメモリに対して現在時刻等の出退勤情報を記憶すると共に、この出退勤情報を上記タイムカードの印字欄に印字するように構成したタイムレコーダ装置に使用するタイムカードの作成方法であって、
タイムカードから読取ったＩＤと同じＩＤがメモリに存在する場合に、このＩＤとは別の拡張ＩＤをタイムカードに印刷して、これ等ＩＤと拡張ＩＤとによって構成される新たなＩＤを、上記のメモリに各社員の個人情報と関連づけて記憶することを特徴とするタイムカード作成方法。
【請求項４】
ＩＤ印刷エリアと拡張ＩＤ印刷エリアとを、タイムカードの挿入方向に対して左右横方向に間隔をあけた並列状態、又は、縦１列の直列状態に設けたことを特徴とする請求項２記載のタイムカード。
【請求項５】
ＩＤ印刷エリアと拡張ＩＤ印刷エリアの双方をタイムカードの表裏いずれか一方の面に形成し、他方の面にはＩＤ印刷エリアのみを形成して、これ等各エリアにＩＤ又は拡張ＩＤを印刷するように構成したことを特徴とする請求項２又は４記載のタイムカード。
【請求項６】
タイムカードの挿入方向に対して、ＩＤ印刷エリアと拡張ＩＤ印刷エリアの前部にスタートマークを印刷し、ＩＤ印刷エリアの後部にエンドマークを印刷したことを特徴とする請求項２、４又は５記載のタイムカード。
【請求項７】
前記各ＩＤ印刷エリアの前部に印刷するスタートマークを、少くとも左右横方向に並列させたＩＤ印刷エリアと拡張ＩＤ印刷エリア間の長さと同じ寸法の横長か、又は、それよりも長い寸法の横長に形成したことを特徴とする請求項６記載のタイムカード。
【請求項８】
タイムカードのＩＤ印刷エリアと拡張ＩＤ印刷エリアに印刷されているＩＤを読取って、タイムカードのＩＤ又は拡張ＩＤを読出すＩＤ読出し手段と、これ等ＩＤの読出し状況、又は、各ＩＤ印刷エリアの前後に印刷したスタートマークやエンドマークの読取り状況によって、差込まれたタイムカードの表裏を判定するカード表裏判定手段とを備えて成ることを特徴とする請求項１記載のタイムレコーダ装置。
【発明の詳細な説明】
【０００１】
【発明の属する技術分野】
本発明は、社員個人の就業データを記録するタイムレコーダの技術分野に属するものであって、具体的には、タイムカードを作成して発行するに当って、無駄なカードの発行を極力少くするように工夫したタイムレコーダ装置並びにタイムカードとその作成方法に関するものである。
【０００２】
【従来の技術】
タイムカードの作成に関しては、従来より、例えば特公平３−３１５９２号公報に記載された「タイムカード作成、使用方法及び装置」や、実公平４−４１４０８号公報に記載されている「カード作成機能を備えたタイムレコーダ」が存在する。
【０００３】
上記前者の公報に記載されている「タイムカード作成、使用方法及び装置」には、異なる機械読取り用の識別子が印刷された複数枚のタイムカードを１組として使用し、各々のタイムカードがタイムレコーダに差込まれる度に、予めタイムレコーダのメモリに記憶されている従業員用のＩＤと、その他の情報とを関連づけてメモリに記憶する一方、タイムカードにはカードの使用者名を印字することによって、社員個人のタイムカードを作成する方法が開示されている。
【０００４】
また、上記後者の公報に記載されている「カード作成機能を備えたタイムレコーダ」には、タイムカードをタイムレコーダに差込み、且つ、テンキーの操作によって各人の社員番号を入力すると、タイムレコーダの記憶装置に記憶されている個人情報が呼出され、この個人情報をタイムカードに対して機械読取り可能にコード化された状態と、目視確認可能な状態に印字する構成が開示されている。
【０００５】
【発明が解決しようとする課題】
ところが、上記前者の公報に記載されている「タイムカード作成、使用方法及び装置」は、予め番号が異なる複数枚のカード（例えばＮｏ．０１〜Ｎｏ．９９のカード）を１組として印刷しておいて、これを各人のタイムカードとして使用するものであるから、タイムカードの使用人数が増えて１組のカード枚数（例えば９９枚）を越えると、カード不足の問題が発生し、また、この問題を別の組のカードを使用して解決しようとすると、カード番号が重なってしまう問題が発生していた。
【０００６】
従って、この様なトラブルを回避するには、常に人数以上の多数のタイムカードを夫々番号を異にして予め印刷しておく必要がある。つまり、余分なタイムカードを常に余分に印刷しておく必要があって、タイムカードの無駄が発生し、また、同様にカードの損傷等によりカードを再発行する場合にも、カードの不足や番号の重なりと言った問題が発生していた。
【０００７】
一方、前記後者の公報に記載されている「カード作成機能を備えたタイムレコーダ」では、カードを１枚１枚作成して発行するものであるから、印刷されていない未使用のカードを多く所持することによって、人数の増加に対応することが可能であるが、しかし、カードには夫々機械読取り用の識別記号等を異なった番号や記号で印刷するものであるから、印刷には大変多くの工数を必要とし、且つ、機械読取りのミスが発生しないように、常に印刷品質を一定に維持するための印字リボン交換等の煩雑なメンテナンスが必要とされるため、その管理が非常に面倒であった。
【０００８】
そこで本発明の技術的課題は、タイムカードの作成に当ってカードの無駄を極力少くし、且つ、タイムカードに対する機械読取り用の識別番号や記号を印刷するための時間を少くすると共に、カード印刷の量を必要最小限に抑えることができるように工夫したタイムレコーダ装置並びにタイムカードとその作成方法を提供することである。
【０００９】
【課題を解決するための手段】
（１）  上記の技術的課題を解決するために、本発明では前記請求項１に記載の如く、差込まれたタイムカードに記録されているＩＤを識別し、このＩＤに該当する社員個人のメモリに対して現在時刻等の出退勤情報を記憶すると共に、この出退勤情報を上記タイムカードの印字欄に印字するように構成したタイムレコーダ装置であって、差込まれたタイムカードに付されているＩＤを読取る読取り手段と、この読取ったＩＤとメモリに記憶されているカードＩＤとを比較するＩＤ比較手段と、比較の結果、同じＩＤが存在する場合にタイムカードに付されているＩＤとは別に拡張用のＩＤをタイムカードに印刷する印刷手段と、上記既に付されているＩＤと新たに印刷された拡張ＩＤとの組合せによって構成されるＩＤを、新たなＩＤとして上記のメモリに各社員の個人情報と関連づけて記憶する記憶手段とを備えるように構成している。
【００１０】
（２）  また、本発明では前記請求項２に記載の如く、差込まれたタイムカードに記録されているＩＤを識別し、このＩＤに該当する社員個人のメモリに対して現在時刻等の出退勤情報を記憶すると共に、この出退勤情報を上記タイムカードの印字欄に印字するように構成したタイムレコーダ装置に使用するタイムカードであって、同じ桁数で、且つ、夫々異なった番号又は記号から成るＩＤを、機械読取り可能な状態に印刷するＩＤ印刷エリアと、このＩＤとは別の拡張ＩＤを同じく機械読取り可能な状態に印刷する拡張ＩＤ印刷エリアとを設けるように構成している。
【００１１】
（３）  また、本発明では前記請求項３に記載の如く、差込まれたタイムカードに記録されているＩＤを識別し、このＩＤに該当する社員個人のメモリに対して現在時刻等の出退勤情報を記憶すると共に、この出退勤情報を上記タイムカードの印字欄に印字するように構成したタイムレコーダ装置に使用するタイムカードの作成方法であって、タイムカードから読取ったＩＤと同じＩＤがメモリに存在する場合に、このＩＤとは別の拡張ＩＤをタイムカードに印刷して、これ等ＩＤと拡張ＩＤとによって構成される新たなＩＤを、上記のメモリに各社員の個人情報と関連づけて記憶するように構成されている。
【００１２】
（４）  また、本発明では前記請求項４に記載の如く、タイムカードを、ＩＤ印刷エリアと拡張ＩＤ印刷エリアとを、タイムカードの挿入方向に対して左右横方向に間隔をあけた並列状態、又は、縦１列の直列状態に設けるように構成している。
【００１３】
（５）  また、本発明では前記請求項５に記載の如く、タイムカードを、ＩＤ印刷エリアと拡張ＩＤ印刷エリアの双方をタイムカードの表裏いずれか一方の面に形成し、他方の面にはＩＤ印刷エリアのみを形成して、これ等各エリアにＩＤ又は拡張ＩＤを印刷するように構成している。
【００１４】
（６）  また、本発明では前記請求項６に記載の如く、タイムカードを、その挿入方向に対して、タイムカードに挿入方向に対して、ＩＤ印刷エリアと拡張ＩＤ印刷エリアの前部にスタートマークを印刷し、ＩＤ印刷エリアの後部にエンドマークを印刷するように構成している。
【００１５】
（７）  また、本発明では前記請求項７に記載の如く、前記各ＩＤ印刷エリアの前部に印刷するスタートマークを、少くとも左右横方向に並列させたＩＤ印刷エリアと拡張ＩＤ印刷エリア間の長さと同じ寸法の横長か、又は、それよりも長い寸法の横長に形成するように構成している。
【００１６】
（８）  更に本発明では、前記請求項８に記載の如く、前述したタイムレコーダ装置が、タイムカードのＩＤ印刷エリアと拡張ＩＤ印刷エリアに印刷されているＩＤを読取って、タイムカードのＩＤ又は拡張ＩＤを読出すＩＤ読出し手段と、これ等ＩＤの読出し状況、又は、各ＩＤ印刷エリアの前後に印刷したスタートマークやエンドマークの読取り状況によって、差込まれたタイムカードの表裏を判定するカード表裏判定手段とを備えるように構成している。
【００１７】
上記（１）で述べた請求項１に係る手段によれば、通常、例えば社員数が１００人以下である場合は、機械読取り可能な０１〜９９のＩＤ番号を予め付したタイムカードを使用し、１００人以上の場合は別のカード群（別の０１〜９９のカード）を使用するため、カードＩＤ番号が重なってしまうものが発生するが、ＩＤを読取った結果、ＩＤ番号が重なってしまったことをタイムレコーダが認識すると、拡張ＩＤをタイムカードの拡張ＩＤ印刷エリアに印刷し、この拡張ＩＤと元のＩＤとの組合せによって新しいＩＤが形成されて、この新しいＩＤが社員の個人情報と共にタイムレコーダのメモリに記憶することができる。従って、タイムカードの印刷は予め定めた数の異なった番号のカードを複数ブロック印刷して準備しておけばよく、各タイムカードにバーコードのような機械読取り可能な識別記号等を印刷する必要がなく、一部ＩＤが重なった場合に於いてのみ、拡張ＩＤを付与すればよいため、タイムカード印刷の量を少くしてスピードアップを図れると共に、印刷用印字リボン等の消耗を可及的に少くして、タイムレコーダの使用コストを低減することを可能にする。
【００１８】
上記（２）で述べた請求項２に係る手段によれば、タイムカードに機械読取り可能な状態でＩＤと拡張ＩＤを印刷するための印刷エリアを設けるだけで、社員数の増加に簡単に対処することができるものであって、予め人数以上の枚数のタイムカードを夫々番号を異にした状態で印刷して、これを常にストックして置く必要がないため、タイムカードの無駄を無くして、タイムカードに関するコストを安くすることを可能にする。
【００１９】
上記（３）で述べた請求項３に係る手段によれば、タイムレコーダにタイムカードを挿入すれば、自動的にＩＤ番号の重複が認識され、これと同時に拡張ＩＤを付した新しいＩＤ番号のタイムカードが作成されることになるから、別のタイムカードをその都度作る手間を省くことができるものであって、タイムカードの作成を安いコストで簡単に行うことを可能にする。
【００２０】
上記（４）で述べた請求項４に係る手段によれば、ＩＤ印刷エリアと拡張ＩＤ印刷エリアを左右横方向に並列状態に設けたタイムカードの場合は、両エリアに印字された各ＩＤの読取りを同時に行うことができるため、ＩＤ読取り時間のスピードアップを図ることができ、また、両印刷エリアを縦１列に直列状態に設けたタイムカードの場合は、本来のＩＤと拡張ＩＤの双方を同じ読取り手段（センサー等）で読取ることが可能となるため、タイムレコーダのコード読取り部の構成を簡略化することを可能にする。
【００２１】
上記（５）で述べた請求項５に係る手段によれば、タイムカードに拡張ＩＤを印刷する場合、例えば、タイムカードの裏面には拡張ＩＤを印刷する必要がないため、タイムカード作成のスピードアップと、省力化及び省コスト化を図ることができる一方、タイムレコーダのＩＤ読取り手段（センサー）に関しては、タイムカードの差込み通路を挟んで表面側に２台のセンサーを設け、裏面側に１台のセンサーを設けるだけで、例えばタイムカードを表面に向けて差込んだ場合は、正面の２台のセンサーがＩＤと拡張ＩＤの双方を読取り、また、裏面に向けて差込んだ場合には、カード裏面側のＩＤを上記表面側の一方のセンサーで読取り、カード表面側の拡張ＩＤを上記裏面側のセンサーで読取ることができるため、センサーを表裏計４台設ける必要がなく、表裏計３台のセンサーでタイムカードを表裏いずれを向けて差込んだ場合でも、ＩＤと拡張ＩＤの双方を読取ることを可能にする。
【００２２】
上記（６）で述べた請求項６に係る手段によれば、スタートマークを読んでからＩＤ番号の読取りを開始し、また、拡張ＩＤを印刷する場合はこのスタートマークの位置からその印刷位置を割り出すことができ、更に、エンドマークはＩＤの読取りを終了してその番号を確定できるものであって、これ等スタートマークとエンドマークとによって、タイムカードに対する各ＩＤの読取りと印刷を確実に行うことができると共に、拡張ＩＤ印刷エリアにはエンドマークが印刷されていないため、ここには必要桁数の拡張ＩＤを印刷することが可能と成る。
【００２３】
上記（７）で述べた請求項７に係る手段によれば、横長に印刷されたスタートマークを、左右横方向に間隔をあけて設けたＩＤ印刷エリア用と拡張ＩＤ印刷エリア用の各読取り手段（センサー）に読み取らせることによって、タイムカードが傾いて挿入されたか否かを判定して、印刷ミス等の発生を防止することを可能にする。
【００２４】
上記（８）で述べた請求項８に係る手段によれば、差込まれるタイムカードの表裏判定を、例えば、タイムカードの表裏に印刷するスタートマークやエンドマークの形状等を変えて表裏を判定したり、或は、表面側と裏面側の各読取りセンサーが読取る各ＩＤ及び拡張ＩＤの読取り状況、即ち、タイムカードの差込み具合によって、本来は読取るべきなのにＩＤを読取ることができなかったり、本来は読取るべきでないのに読取ってしまったりする状況等に照して、タイムカードの表裏判定を正確に行うことを可能にする。
【００２５】
【発明の実施の形態】
以下に、本発明に係るタイムレコーダ装置並びにタイムカードとその作成方法の実施の形態を図面と共に説明すると、図１は本発明に係るタイムレコーダ装置の電気的構成を説明したブロック図で、符号１で全体的に示したタイムレコーダには、主フレームであるＣＰＵ２と、システムプログラムや社員個人の情報を格納し、且つ、社員個人用の記憶部を備えたメモリ３と、これ等ＣＰＵ２とメモリ３の間にバス４を介して接続されたインターフエイス回路５とから成る制御部が設けられていて、タイムレコーダ１の全体をコントロールするように構成されている。
【００２６】
また、上記制御部を構成するインターフエイス回路５には、基準時刻信号を発する時計回路６と、現在時刻やその他のデータ類を表示する表示器７と、タイムカードの作成や時刻データの印字等に用いるプリンタ８と、動作モード選択用の選択スイッチ９と、各種のデータをキー入力する入力装置１０が接続され、更に、差込まれたタイムカードを検知するカード検知センサー１１と、このセンサー１１がタイムカードを検知すると、カード搬送用のローラを回転してタイムカードを印字部に向けて搬送し、また、印字後はこれを逆転してタイムカードを差込口に送り戻すカード搬送モータ１２と、前記プリンタ８を印字移動させるプリンタ用モータ１３と、上記カード搬送モータ１２の回転にタイムカードの搬送状況を検出するカード搬送センサー１４と、外部サーバに対してデータを入出力したり、外部からの設定入力を行う外部インターフエイス１５と、タイムカードに記録（印刷）されているＩＤと、拡張ＩＤを読取ったり、後述するスタートマークやエンドマークを検出する計３台の読取りセンサー１６Ａ，１６Ｂ，１６Ｃが接続されていて、夫々が上記ＣＰＵ２の監視下でメモリ３に格納されているシステムプログラムに従って制御作動するように構成されている。
【００２７】
図２の（イ）図は本発明に係る２ライン用タイムカードＴの表面図、（ロ）図はその裏面図で、その表裏両面ＴＭ，ＴＮには、社員個人のコード番号、氏名、所属等の個人情報を印字する印字部ＴＡ，ＴＢ，ＴＣと、日々の就業データを印字する印字欄ＴＨ，ＴＨ′が形成され、更にこの印字欄ＴＨ，ＴＨ′の下側は、以下に述べるタイムカードのＩＤ番号や、その他のマーク類を印刷（印字）するための印刷面ＴＫ，ＴＫ′に成っている。
【００２８】
即ち、２ライン用タイムカードＴの表面ＴＭの印刷面ＴＫには、上記図２の  （イ）図に示すように例えば０１〜９９番のタイムカードのＩＤ番号をカード毎に順番に予め印刷するＩＤ印刷エリア２０と、ＩＤ番号が重複する場合に用いる拡張ＩＤの番号を印刷する拡張ＩＤ印刷エリア２１が、左右に間隔をあけて並設され、また、これ等両エリア２０，２１の下側部には、少くとも両エリア２０，２１の間の寸法と同じ寸法か、或は、それよりも長い寸法の横長に形成したスタートマーク２２が印刷されており、更に、ＩＤ印刷エリア２０の上側にはストップマーク２３が印刷されている。
【００２９】
一方、上記タイムカードＴの裏面ＴＮの印刷面ＴＫ′には、表面ＴＭに対して丁度前記拡張ＩＤ印刷エリア２１に対応する位置に、タイムカードのＩＤ番号を印刷するＩＤ印刷エリア２０′が形成され、また、このＩＤ印刷エリア２０′の下側部には前記表面側のスタートマーク２２と同一寸法の横長に形成したスタートマーク２２′が印刷され、更に、上記ＩＤ印刷エリア２０′の上部には、前記表面側のストップマーク２３とは異なる形状のストップマーク２３′が印刷されている。
【００３０】
裏面ＴＮ側に拡張ＩＤ印刷エリア２１を設けなかったのは、図４の如くタイムカードＴの差込通路を挟んでその前面側に２台、背面側に１台設けた読取りセンサー１６Ａ，１６Ｂ，１６Ｃの配列によって、タイムカードＴをその表面ＴＭ  （通常は月の前半に用いる）側を前面に向けてタイムレコーダ１に差込んだ場合に、左右のＩＤ印刷エリア２０と拡張ＩＤ印刷エリア２１に印刷されている各番号を、前面側の２台のセンサー１６Ａ，１６Ｂによって読取ることができ、また、タイムカードＴをその裏面ＴＮ（通常は月の後半に用いる）側を前面に向けてタイムレコーダ１に差込んで場合は、裏面ＴＮのＩＤ印刷エリア２０′に印刷されたＩＤ番号を、前面側のセンサー１６Ａが読取り、表面ＴＭの拡張ＩＤ印刷エリア２１に印刷されている拡張ＩＤ番号を、背面側のセンサー１６Ｃが読取ることができるためであって、その結果、裏面ＴＮへの拡張ＩＤ番号の印刷を不要にしてカード作成のスピード化と、省力化を図る仕組に成っている。
【００３１】
図３は、上述したＩＤ印刷エリア２０と拡張ＩＤ印刷エリア２１を、下側部に横長に形成したスタートマーク２２を印刷し、中間にストップマーク２３″を印刷した状態で、縦１列に設けた１ライン用タイムカードＴ′の構成を示したものであって、この様に両エリア２０，２１をタイムカードＴ′の表裏に直列式に設けた場合は、前部側の２台のセンサー１６Ａ，１６Ｂによって表裏の両エリア２０，２１に印刷されているＩＤ番号と拡張ＩＤ番号を読取り可能にするものであって、タイムレコーダ１に於ける読取りセンサー部分の構成を簡略化することを可能にする。
【００３２】
尚、各スタートマーク２２，２２′を横長に形成したのは、左右のセンサー１６Ａ，１６Ｂの検知によて、タイムカードＴが真直ぐ差込まれているか否かを判定するためである。更に、タイムカードＴの表裏ＴＭ，ＴＮに印刷された各スタートマーク２２，２２′やストップマーク２３，２３′の形状を変えたり、或は、各センサー１６Ａ，１６Ｂ，１６Ｃによる各ＩＤ印刷エリア２０，２１，２０′の読取り状況を判定することにより、カードの表裏判定を行うことを可能にしている。
【００３３】
また、タイムカードＴの拡張ＩＤ印刷エリア２１には、タイムカードＴをタイムレコーダ１に差込んでカード作成するに当って、センサー１６Ａが読取ったＩＤ番号が重なって使用されていることが判明した場合に、拡張ＩＤ番号をこの拡張ＩＤエリア２１に印刷して、予め印刷されている元のＩＤ番号（例えば１２）とこの拡張ＩＤ番号（例えば１）との組合せから成る新しいＩＤ番号（１２１）をタイムカードの番号として使用するものであって、この新しいＩＤ番号が決まると、これが社員個人の情報（氏名やコード番号等）と一緒にメモリ３に記憶されると共に、これ等社員個人の情報がタイムカードＴの各印字部ＴＡ〜ＴＣに印字されてカード作成され、以後、この拡張された新しいＩＤ番号がタイムカードの番号と成って、タイムカードＴを差込む度に現在時刻等の出退勤情報が各個人のメモリに記憶され、且つ、タイムカードＴの印字欄ＴＨ，ＴＨ′に印字出力される仕組に成っている。
【００３４】
次に、図５乃至図８に示したフローチヤートに従って上述した本発明の処理手順を説明すると、図５は図２に示した２ライン方式のタイムカードＴ、即ち、ＩＤ印刷エリア２０と拡張ＩＤ印刷エリア２１を左右に並設したタイムカードＴを用いて、カード作成する場合の処理手順を説明したものであって、カード挿入  （ステップＳ１）、スタートマークチェック（ステップＳ２）、搬送タイミングのパルスカウント開始（ステップＳ４）、カードＩＤ番号の読出し（ステップＳ５）の各処理を行い、次のステップＳ６でカードに拡張ＩＤの印刷が有るか否か、即ち、使用済みカードであるか否かの判定を行って、その結果、拡張ＩＤの印刷が無しと判定されると、ステップＳ７でカードの表裏チェックを行い、更に、ステップＳ９に進んでタイムレコーダ１の社員情報のデータベースからカード登録情報が入力される。
【００３５】
次いで、ステップＳ８に進んで読取ったＩＤ番号がメモリ３に既に登録済みであるか否かが判定され、登録済みでない場合はステップＳ１４に進んで新たなカードＩＤ（コード）と社員情報を関連づけて、これ等社員情報をタイムカードＴの印字部ＴＡ〜ＴＣに印字出力し、且つ、ステップＳ１５で社員情報データベース（メモリ３）に登録することによって、カード作成を終える。
【００３６】
しかし、上記ステップＳ８で既に登録されているＩＤが有り、ＩＤが重複していると判定された場合は、ステップＳ１０に進んで拡張ＩＤの印刷位置を割り出した後、ステップＳ１２で社員情報データベースからカード登録情報を受け取り、且つ、ステップＳ１１で拡張ＩＤエリア２１に拡張ＩＤ番号（例えば１）を印刷して、ステップＳ１３で予め印刷されていたＩＤ番号（例えば１２）と、拡張ＩＤ番号（例えば１）によって構成される新しいＩＤ番号（例えば１２１）にカードコードを変換して、前述したステップＳ１４以降の印字と登録処理に進み、カード作成を終える。
【００３７】
図６は、図３に示した１ライン方式のタイムカードＴ′、即ち、ＩＤ印刷エリア２０と拡張ＩＤ印刷エリア２１を縦１列に設けたタイムカードＴ′を用いて、カード作成する場合の処理手順を説明したものであって、ステップＳ２１からステップＳ３５で説明した各処理手順は、いずれも前記図５のステップＳ１からステップＳ１５に示した２ライン方式に於けるカード作成の処理手順と殆ど同一であるため、その説明を省略する。但し、ステップＳ３０の拡張ＩＤ印刷位置の割り出し手順だけは、１ライン方式の直列式である関係で、前記図５に示した２ライン方式のタイムカードＴを用いた場合に於ける処理手順のステップＳ１０とは、若干処理の内容を相違している。
【００３８】
次に、図７は上記図２に示した２ライン方式のタイムカードＴ、即ち、前記図５に示した処理手順によって作成されたタイムカードＴを用いて各個人の出退勤情報を記憶、印字する場合の手順を説明したフローチャートを示したものであって、カード挿入（ステップＳ４１）、２ラインのスタートマーク２２のチエック（ステップＳ４２）、搬送タイミングのパルスカウント開始（ステップＳ４３）の各処理を行うと、次のステップＳ４４でＡ・Ｂライン、即ち、ＩＤ印刷エリア２０と拡張ＩＤ印刷エリア２１に印刷されているＩＤ番号と拡張ＩＤ番号（存在しない場合もある）から成るカードＩＤ番号（カードコード）の読出しを行い、次いでカード表裏チェック（ステップＳ４５）の処理を行う。
【００３９】
上記カードコードの読出しと表裏チェックが行われると、ステップＳ４７で社員情報データベースからカード登録情報を入手して、次のステップＳ４６で上記読出したコードがメモリ３に登録されているか否かが判定され、有りの場合は印字位置と搬送タイミングのパルス量算出（ステップＳ４８）、印字位置までタイムカードＴを移動（ステップＳ４９）、社員情報データベースからの打刻情報の入手（ステップＳ５１）、タイムカードＴに時刻等を打刻印字（ステップＳ５０）、打刻情報を社員情報データベース（個人のメモリ）へ記憶（ステップＳ５３）の各処理を行い、最後にステップＳ５２でタイムカードＴを差込口に送り戻して処理を終える。
【００４０】
図８は、図３に示した１ライン方式のタイムカードＴ′、即ち、前記図６に示した処理手順に従って作成されたタイムカードＴ′を用いて、各個人の出退勤情報を記憶及び印字する場合の手順を説明したフローチャートであって、ステップＳ６１からステップＳ７１に示されている各処理手順は、いずれも前記図７に示した２ライン方式に於ける処理手順と殆ど同一であるため、その説明を省略する。但し、ステップＳ６３のカードコード読出し処理だけは、１ライン方式の直列式である関係で、前記図７に示した２ライン方式の場合とは読出し方法に若干の相違が見られる。
【００４１】
【発明の効果】
以上述べた次第で、本発明に係るタイムレコーダ装置並びにタイムカードとその作成方法によれば、タイムカードの作成時にカード番号ＩＤが重なってしまった場合には、タイムカードの拡張ＩＤ印刷エリアに拡張ＩＤ番号を印刷するだけで、ＩＤ印刷エリアに元々印刷されているカードＩＤ番号との組合せによって、新しいカードＩＤを作ることができるため、カード番号が重なるトラブルの発生を回避できるものであって、常に人数以上の枚数のタイムカードを夫々カード番号を異なる状態にして予め印刷しておく必要がなく、タイムカードの無駄を無くすことができると共に、これ等無駄なタイムカードを作成することによって生じる時間や手間、或は、各種コストを軽減できる経済性を備えており、人数の変更に対してフレキシブル対応ができる優れた特徴を備えている。
【図面の簡単な説明】
【図１】本発明に係るタイムレコーダ装置の電気的構成を説明したブロック図である。
【図２】（イ）図は並列方式（２ライン方式）に構成した本発明に係るタイムカードの一部破断表面図で、（ロ）図はその裏面図である。
【図３】直列方式（１ライン方式）に構成した本発明に係るタイムカードの要部を示した表面図である。
【図４】本発明で用いる読取りセンサー部分の構成を説明した平面図である。
【図５】図２に示した１ライン方式のタイムカードを作成する手順を説明したフローチャートである。
【図６】図３に示した２ライン方式のタイムカードを作成する手順を説明したフローチャートである。
【図７】２ライン方式のタイムカードを用いて出退勤情報を記憶及び印字する処理手順を説明したフローチャートである。
【図８】１ライン方式のタイムカードを用いて出退勤情報を記憶及び印字する処理手順を説明したフローチャートである。
【符号の説明】
１              タイムレコーダ
３              メモリ
８              プリンタ
１６Ａ，１６Ｂ，１６Ｃ            読取りセンサー
Ｔ，Ｔ′        タイムカード
２０，２０′    ＩＤ印刷エリア
２１            拡張ＩＤ印刷エリア
２２，２２′    スタートマーク
２２，２３′，２３″              エンドマーク
【図１】
0003730097.tif 000002
【図２】
0003730097.tif 000003
【図３】
0003730097.tif 000004
【図４】
0003730097.tif 000005
【図５】
0003730097.tif 000006
【図６】
0003730097.tif 000007
【図７】
0003730097.tif 000008
【図８】
0003730097.tif 000009